(57)【要約】  【課題】  内容は異なるが関連する複数のコンテンツから，端末に応じた適切なコンテンツを選択して配信すること。  【解決手段】  関連する複数の要素コンテンツからなる前記コンテンツを１又は複数と，要素コンテンツごとの種類と質（満足度）と配信に必要な通信能力とに関する関連情報とを記憶し，携帯端末４から該端末４が再生するコンテンツの種類の特定に必要な機能ＩＤを含むコンテンツ要求を受信Ｓ２２，Ｓ２５し，コンテンツ要求受信の通信実績に基づいて携帯端末４との間の通信能力を評価し（Ｓ２４），コンテンツ要求と通信能力評価結果と関連情報とに基づいて携帯端末４に配信する要素コンテンツを選択（Ｓ２６），特定先への要素コンテンツ（メインコンテンツ）出力と携帯端末４への要素コンテンツ（サブコンテンツ）出力とを同期させる。【選択図】図２
2006236002.tif 000002
【特許請求の範囲】
【請求項１】
１又は複数の端末に対してコンテンツを配信するコンテンツ配信装置において，
関連する複数の要素コンテンツからなる前記コンテンツを１又は複数記憶するコンテンツ記憶手段と，
前記要素コンテンツごとの種類と質及び／又は配信に必要な通信能力とに関する関連情報を記憶する関連情報記憶手段と，
前記端末から該端末が再生するコンテンツの種類の特定に必要な種類特定情報を含むコンテンツ要求を受信するコンテンツ要求受信手段と，
コンテンツ要求受信手段による通信実績に基づいて前記端末との間の通信能力を評価する通信能力評価手段と，
前記コンテンツ要求と前記通信能力評価手段の評価結果と前記関連情報とに基づいて前記端末に配信する前記要素コンテンツを選択する配信コンテンツ選択手段と，
前記コンテンツ選択手段により選択された前記要素コンテンツを前記コンテンツ要求の送信元の前記端末に配信するコンテンツ配信手段と，
を具備してなることを特徴とするコンテンツ配信装置。
【請求項２】
前記配信コンテンツ選択手段が，
前記要素コンテンツについて，前記端末が再生するコンテンツの種類に対する前記要素コンテンツの種類の適合度合いに関する種類適合度と，前記通信能力評価手段の評価結果に対する前記配信に必要な通信能力の適合度合いに関する通信適合度と，前記要素コンテンツの質の高さに関する質高さと，を統合した総合指標を求め，該総合指標の大きさに基づいて前記要素コンテンツを選択してなる請求項１に記載のコンテンツ配信装置。
【請求項３】
予め定められた特定の出力先に対して前記要素コンテンツを出力する特定先コンテンツ出力手段を具備し，
前記配信コンテンツ選択手段が，前記特定先コンテンツ出力手段により出力される前記要素コンテンツと関連する前記要素コンテンツを選択するものであり，
前記特定先コンテンツ出力手段による前記要素コンテンツの出力と，前記コンテンツ配信手段による前記要素コンテンツの配信とが同期して行われるものである請求項１又は２のいずれかに記載のコンテンツ配信装置。
【請求項４】
１又は複数の端末に対してコンテンツを配信する処理をコンピュータに実行させるためのコンテンツ配信プログラムにおいて，
関連する複数の要素コンテンツからなる前記コンテンツの１又は複数と，前記要素コンテンツごとの種類と質及び／又は配信に必要な通信能力とに関する関連情報と，が記憶手段に記憶されており，
前記端末から該端末が再生するコンテンツの種類の特定に必要な種類特定情報を含むコンテンツ要求を受信するコンテンツ要求受信工程と，
コンテンツ要求受信手段による通信実績に基づいて前記端末との間の通信能力を評価する通信能力評価工程と，
前記コンテンツ要求と前記通信能力評価手段の評価結果と前記関連情報とに基づいて前記端末に配信する前記要素コンテンツを選択する配信コンテンツ選択工程と，
前記コンテンツ選択手段により選択された前記要素コンテンツを前記コンテンツ要求の送信元の前記端末に配信するコンテンツ配信工程と，
をコンピュータに実行させるためのコンテンツ配信プログラム。
【請求項５】
１又は複数の端末に対してコンテンツを配信するコンテンツ配信方法において，
関連する複数の要素コンテンツからなる前記コンテンツの１又は複数と，前記要素コンテンツごとの種類と質及び／又は配信に必要な通信能力とに関する関連情報と，が記憶手段に記憶されており，
前記端末から該端末が再生するコンテンツの種類の特定に必要な種類特定情報を含むコンテンツ要求を受信するコンテンツ要求受信工程と，
コンテンツ要求受信手段による通信実績に基づいて前記端末との間の通信能力を評価する通信能力評価工程と，
前記コンテンツ要求と前記通信能力評価手段の評価結果と前記関連情報とに基づいて前記端末に配信する前記要素コンテンツを選択する配信コンテンツ選択工程と，
前記コンテンツ選択手段により選択された前記要素コンテンツを前記コンテンツ要求の送信元の前記端末に配信するコンテンツ配信工程と，
を有してなることを特徴とするコンテンツ配信方法。
【発明の詳細な説明】
【技術分野】
【０００１】
本発明は，１又は複数の端末に対してコンテンツを配信するコンテンツ配信装置，コンテンツ配信プログラム及びコンテンツ配信方法に関するものである。
【背景技術】
【０００２】
現在，ユビキタスネットワーク環境の整備が進み，これを活用した様々なサービスを提供することが考えられる。
例えば，ホールやサロン等の特定の場所に設置された大画面プロジェクタ等のコンテンツの出力装置（以下，特定出力装置という）に映画やスポーツ中継等のコンテンツを再生させ，そこに集まる人々（以下，ユーザという）に視聴させる場合を考える。
このような場合，再生されるコンテンツに興味のあるユーザやそうでないユーザが混在するため，特定出力装置には映像コンテンツ等の特定のコンテンツのみを出力（再生）し，その特定のコンテンツに関連する音声コンテンツ（音声情報）やテキストコンテンツ（文字情報）等の他のコンテンツ（要素コンテンツ）については，無線ＬＡＮ等を通じて各ユーザが使用するＰＤＡ等の端末に配信（送信）し，その端末で再生させることが考えられる。
一方，特許文献１には，端末のＩＰアドレスによりその能力を特定し，端末能力（画面サイズ，画素数等）に適合したコンテンツを配信するコンテンツ配信システムが示されている。
【特許文献１】特開２００１−２３６２８８号公報
【発明の開示】
【発明が解決しようとする課題】
【０００３】
しかしながら，端末の通信に利用可能な帯域，各端末が備える能力（通信速度や演算速度等）や機能は様々であり，受信や再生が可能なコンテンツの種類が異なる。このため，一様に同じコンテンツを配信したのでは，それを再生できない端末が生じたり，端末ユーザの満足が得られないという問題点があった。
例えば，特定出力装置に出力される映像に同期した「音声コンテンツ」を一様に配信した場合，スピーカ出力機能を持たない端末では再生できない。また，同じく映像に同期した「日本語テキストコンテンツ」（字幕スーパー等）を一様に配信した場合，英語しか理解できないユーザや，スピーカ出力機能及びその再生に十分な処理能力（通信速度やＣＰＵの演算速度等）を有する端末のユーザにとっては十分な満足が得られない。
また，各端末は，ユーザの嗜好によって再生させたいコンテンツが異なることもある。例えば，特定出力装置に野球中継のコンテンツが出力されている場合に，特定のひいき選手の詳細な成績情報（コンテンツ）の配信を受けたい場合等が考えられる。この場合も，一様に同種（データ形式のみの違いは同種である）のコンテンツを配信したのでは，各端末ユーザの満足が得られない。
これに対し，特許文献１には，端末から要求されたコンテンツをその端末の能力に適合した形式で配信することが示されているが，内容は異なるが関連する複数のコンテンツ（日本語と英語，音声とテキスト，ひいき選手情報等）から適切なコンテンツを選択して配信することについては示されていない。
従って，本発明は上記事情に鑑みてなされたものであり，その目的とするところは，内容は異なるが関連する複数のコンテンツから，端末及び利用可能な通信帯域に応じた適切なコンテンツを選択して配信することができるコンテンツ配信装置，コンテンツ配信プログラム及びコンテンツ配信方法を提供することにある。
【課題を解決するための手段】
【０００４】
上記目的を達成するために本発明は，１又は複数の端末に対してコンテンツを配信するコンテンツ配信装置において，関連する複数の要素コンテンツからなる前記コンテンツを１又は複数記憶するコンテンツ記憶手段と，前記要素コンテンツごとの種類と質及び／又は配信に必要な通信能力とに関する関連情報を記憶する関連情報記憶手段と，前記端末から該端末が再生するコンテンツの種類の特定に必要な種類特定情報を含むコンテンツ要求を受信するコンテンツ要求受信手段と，コンテンツ要求受信手段による通信実績に基づいて前記端末との間の通信能力を評価する通信能力評価手段と，前記コンテンツ要求と前記通信能力評価手段の評価結果と前記関連情報とに基づいて前記端末に配信する前記要素コンテンツを選択する配信コンテンツ選択手段と，前記コンテンツ選択手段により選択された前記要素コンテンツを前記コンテンツ要求の送信元の前記端末に配信するコンテンツ配信手段と，を具備してなることを特徴とするコンテンツ配信装置として構成されるものである。
これにより，内容は異なるが関連する複数の要素コンテンツから，その種類，質，配信に必要な通信能力に基づいて，端末の能力や機能，ユーザ嗜好等の要求に応じた適切な要素コンテンツを選択して配信することができる。
ここで，前記配信コンテンツ選択手段としては，前記要素コンテンツについて，前記端末で再生するコンテンツの種類に対する前記要素コンテンツの種類の適合度合いに関する指標（以下，種類適合度という）と，前記通信能力評価手段の評価結果に対する前記配信に必要な通信能力の適合度合いに関する指標（以下，通信適合度という）と，前記要素コンテンツの質の高さに関する指標（以下，質高さという）と，を統合した総合指標を求め，該総合指標の大きさに基づいて前記要素コンテンツを選択するものが考えられる。
さらに，予め定められた特定の出力先に対して前記要素コンテンツを出力する特定先コンテンツ出力手段を具備し，前記配信コンテンツ選択手段が，前記特定先コンテンツ出力手段により出力される前記要素コンテンツと関連する前記要素コンテンツを選択するものであり，前記特定先コンテンツ出力手段による前記要素コンテンツの出力と，前記コンテンツ配信手段による前記要素コンテンツの配信とが同期して行われるものが考えられる。
これにより，ユーザは，前記特定の出力先（特定の場所に設置されるプロジェクタ等）に出力されるコンテンツ（例えば，野球中継のコンテンツ）と併せて，自身の端末に適した，或いはユーザの好みに応じた関連するコンテンツ（音声コンテンツ等）を同時に視聴することができる。
また，本発明は，前記コンテンツ配信装置が実行する処理を，コンピュータに実行させるためのコンテンツ配信プログラムとして，或いは同処理を行うコンテンツ配信方法として捉えたものであってもよい。
【発明の効果】
【０００５】
本発明によれば，関連する複数の要素コンテンツから，その種類，質，配信に必要な通信能力に基づいて，端末の能力や機能，ユーザ嗜好等の要求に応じた適切な要素コンテンツを選択して配信することができる。
さらに，前記要素コンテンツについて，前記端末で再生するコンテンツの種類に対する前記要素コンテンツの種類の適合度合いに関する種類適合度と，前記通信能力評価手段の評価結果に対する前記配信に必要な通信能力の適合度合いに関する通信適合度と，前記要素コンテンツの質の高さに関する質高さと，を統合した総合指標を求め，該総合指標の大きさに基づいて前記要素コンテンツを選択することにより，端末の機能及びその端末のユーザの要求，並びに端末の通信能力に適合した種類の要素コンテンツから，より質の高い要素コンテンツを選択するといったことが可能となり，よりユーザの満足度の高い要素コンテンツを配信することができる。
また，予め定められた特定の出力先に対して前記要素コンテンツを出力し，この出力と前記要素コンテンツの配信とを同期して行うことにより，ユーザは，前記特定の出力先（特定の場所に設置されるプロジェクタ等）に出力されるコンテンツ（例えば，野球中継のコンテンツ）と併せて，自身の端末に適した，或いはユーザの好みに応じた関連するコンテンツ（音声コンテンツ等）を同時に視聴することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るコンテンツ配信装置の一例であるサーバＸを構成要素とするコンテンツ配信システムＺの概略構成図，図２はサーバＸによるコンテンツ配信処理及び携帯端末によるコンテンツ受信・再生処理の手順を表すフローチャート，図３は関連する要素コンテンツとその関連情報とが格納される要素コンテンツ関連データベースのデータ構成の例を表す図，図４はコンテンツの種類を特定するための機能ＩＤに関するマスターデータベースのデータ構成の例を表す図，図５は機能ＩＤに対応するデータ形式（種類）を検索キーとしてコンテンツ関連データベースから抽出したファイルＩＤ（要素コンテンツの識別情報）等のリストの一例を表す図，図６は要素コンテンツについて求められた種類適合度と通信適合度と満足度とそれらの総合指標の一例を表す図，図７はサーバＸと携帯端末との間の実績通信速度の分布と基準帯域（基準速度）との関係の一例を模式的に表した図である。
【０００７】
まず，図１の概略構成図を用いて，本発明の実施の形態に係るコンテンツ配信装置の一例であるサーバＸを構成要素とするコンテンツ配信システムＺの構成について説明する。
コンテンツ配信システムＺは，コンテンツを配信するサーバＸ（コンテンツ配信装置）と，ホールやサロン等の特定の場所に設置され，ＬＡＮ３で接続されたサーバＸから出力されるコンテンツを出力する大型プロジェクタ等の特定再生装置１（前記特定の出力先の一例）と，該特定再生装置１により出力されるコンテンツを視聴できるエリアを含むエリアを無線通信可能なエリアとし，該エリア内に存在する携帯端末４と前記ＬＡＮ３との間の無線ＬＡＮ通信を中継するアクセスポイント２（無線アクセスポイント）と，該アクセスポイント２との無線ＬＡＮ通信手段を備え，前記アクセスポイント２及び前記ＬＡＮ３を介してサーバＸと通信を行い，サーバＸからコンテンツの配信を受ける携帯電話やＰＤＡ等の１又は複数の携帯端末４とを有している。
サーバＸは，コンテンツを記憶するハードディスク等の記憶手段５を備え，該記憶手段５内のコンテンツを，前記アクセスポイント２の通信可能エリア内に存在する１又は複数の前記携帯端末４に配信する。
図１には，サーバＸが備えるハードディスク等の記憶手段５（前記コンテンツ記憶手段の一例）にコンテンツが記憶される場合について示しているが，これに限るものでなく，例えば，サーバＸが，前記ＬＡＮ３やインターネット等のさらに上位のネットワーク等に接続された他のコンテンツサーバにコンテンツを要求し，返信されるコンテンツを配信する構成であってもかまわない。
前記ＬＡＮ３及び前記アクセスポイント２としては，例えば，各々ＩＥＥＥ８０２．３規格及びＩＥＥＥ８０２．１１ｂに準拠した通信媒体及び通信装置を用いることが考えられる。
また，サーバＸは，パーソナルコンピュータ等の周知の計算機（情報処理装置）で構成される。該サーバＸは，予めその記憶手段５（ハードディスク等）に記憶されたコンテンツ配信プログラムを，ＣＰＵ，ＲＡＭ及びその他周辺装置からなる演算手段によって実行することにより，前記特定再生装置１へのコンテンツ出力，前記携帯端末へのコンテンツ配信等の各処理を実行する。
一方，前記携帯端末４は，ＣＰＵ，ＲＡＭ及びその他周辺装置からなる演算手段，液晶タッチパネル等の表示・操作手段，フラッシュメモリ等のデータ記憶手段，及び前記アクセスポイント２との無線通信を行う無線通信手段等を備え，ＲＯＭ等に予め記憶されたコンテンツ受信・再生プログラムを前記演算手段によって実行することにより，サーバＸからのコンテンツの受信処理及びそのコンテンツの再生処理を行う。
【０００８】
次に，サーバＸに記憶されるコンテンツのデータ構成について説明する。
サーバＸの前記記憶手段５（前記コンテンツ記憶手段の一例）に記憶される複数のコンテンツそれぞれは，関連する複数の要素コンテンツの集合体である。この要素コンテンツのうち，予め定められた一部の要素コンテンツは前記特定再生装置１に出力され，残りの関連する要素コンテンツの中から選択された要素コンテンツが前記携帯端末４に配信される。以下，便宜上，要素コンテンツのうち，前記特定再生装置１に出力されるものをメインコンテンツ，その残りのうち前記携帯端末４に配信されるものをサブコンテンツという。
関連する一群の要素コンテンツは，例えば，ツリー構造による関連付け等の所定のデータ構造によって関連付けられ，サーバＸの備えるハードディスク等の記憶手段５に記憶されている。
さらに，各要素コンテンツには，その各々について関連情報が関連付けられて前記記憶手段５に記憶されている。
図３は，関連する要素コンテンツとその関連情報とが格納される要素コンテンツ関連データベース（以下，コンテンツ関連ＤＢという）のデータ構成の例を表すものである。
各素材コンテンツは，その識別情報であるファイルＩＤ（ｄ４）に識別され，不図示のデータベースに，ファイルＩＤ（ｄ４）と要素コンテンツの実体（データファイル）とが関連付けられて前記記憶手段５に記憶されている。
さらに，図３に示すように，前記ファイルＩＤ（ｄ４）各々には，関連情報ｄ１〜ｄ４，ｄ５〜ｄ８が関連付けられており，これにより，要素コンテンツと前記関連情報とが関連付けられて前記記憶手段５に記憶される。
前記関連情報には，前記ファイルＩＤ（ｄ４）に対応する要素コンテンツの内容（種類の一例）を識別する素材ＩＤ（ｄ１），その要素コンテンツのデータ形式（種類の一例）を識別するデータ形式情報ｄ２，その要素コンテンツの説明情報ｄ３，その要素コンテンツの質を表す指標である満足度ｄ５，その要素コンテンツの配信に必要な通信能力の指標となる基準帯域ｄ６，その要素コンテンツの配信形態を表す配信形態情報ｄ７，その要素コンテンツの配信に要する時間を表す配信時間ｄ８等が含まれる。
前記素材ＩＤ（ｄ１）は，要素コンテンツにより再生される情報の内容を識別するものであり，例えば，動画情報は「素材１」，ＰＤＦ形式による文字情報（文書）は「素材２」，テキスト形式による文字情報（文書）は「素材３」等として設定される。
前記データ形式ｄ２は，要素コンテンツのデータ形式を識別する情報であり，例えば動画の場合「ＭＰＥＧ２」や「ＭＰＥＧ４」と，文書の場合「ＰＤＦ」や「ＴＸＴ」等と設定される。
前記説明情報ｄ３は，要素コンテンツの内容を簡便に表す情報である。
前記満足度ｄ５は，要素コンテンツの質を表す指標として，同じ前記素材ＩＤ（ｄ１）が設定された要素コンテンツ（即ち，基本的な内容が同じ要素コンテンツ）の中での相対評価指標であり，例えば，「１」〜「５」の５段階評価等により予め設定されるものである。図３に示す例では，種類が動画（素材ＩＤ＝「素材１」）である要素コンテンツのうち，高画質動画である「ＭＰＥＧ２」形式のものの方が，それよりも低画質の動画である「ＭＰＥＧ４」形式のものよりも高い満足度ｄ５が設定されている。但し，種類が異なる（前記素材ＩＤ（ｄ１）の設定が異なる）要素コンテンツ間では，前記満足度ｄ５の比較はできない。
前記基準帯域ｄ６は，要素コンテンツの配信に必要な通信能力の指標として，サーバＸと前記携帯端末４との間の通信速度（bps）の基準値が設定されている。図３に示す例では，その要素コンテンツの配信に必要な最低限の通信速度が設定されている。この他にも，最低限の通信速度と推奨する通信速度の両方を設定すること等も考えられる。
前記配信形態情報ｄ７は，要素コンテンツの配信形態として，例えば，ストリーミング，ダウンロード等の形態が設定される。
前記配信時間ｄ８は，要素コンテンツを前記基準帯域ｄ６に設定された通信速度で配信した場合に配信に要する時間を表す。
【０００９】
次に，図２のフローチャートを用いて，サーバＸによるコンテンツ配信処理及び携帯端末４によるコンテンツ受信・再生処理の手順について説明する。サーバＸは，前記コンテンツ配信プログラムを前記演算手段によって実行することにより，図２に示すサーバＸ側の処理を行う。また，前記携帯端末４は，ＲＯＭ等に記憶された前記コンテンツ受信・再生プログラムを前記演算手段によって実行することにより，図２に示す携帯端末４側の処理を行う。以下，Ｓ１１，Ｓ１２，…は，処理手順（ステップ）の番号を表す。
サーバＸにおいて，前記コンテンツ配信プログラムの実行が開始されると，予め定められたスケジュールを参照し，該スケジュールに定められた時刻に同じくそのスケジュールに定められた要素コンテンツ（メインコンテンツ）について，前記特定再生装置１（前記特定先の一例）への出力を開始し（Ｓ１１），終了するまでメインコンテンツの出力を継続する（Ｓ１１，Ｓ１２，前記特定先コンテンツ出力手段の処理の一例）。これにより，前記特定再生装置１によって，メインコンテンツ（例えば，映像コンテンツ）が終了するまで出力（再生）される。
さらに，サーバＸは，メインコンテンツの出力と並行して，以下のＳ２１〜Ｓ２８の処理を実行する。
まず，前記アクセスポイント２を通じて，無線通信可能なエリア内に新たな前記携帯端末４の存在が検出されたか否かをチェックする（Ｓ２１）。前記アクセスポイント２からは，定期的に応答を要求する無線電波が発信され，この応答要求に対して通信確立を要求する応答（返信）があった場合に，新たな前記携帯端末４が検出されたと判別する。ここで，通信確立を要求する応答とは，例えば，通信用アドレスとして使用する端末ＩＤ（例えば，ＩＰアドレス等）の割り振りの要求等である。
一方，前記携帯端末４は，前記無線通信手段を介して，前記アクセスポイント２から発信される応答要求（無線電波）が検出されるか否かのチェックを継続しており（Ｓ３１），前記アクセスポイント２からの応答要求を検出すると，通信確立を要求する応答を返信し，通信確立処理を実行する（Ｓ３２）。
これに対し，サーバＸも，新たな前記携帯端末４が検出された場合は，その携帯端末４との通信確立処理を実行する（Ｓ２２）。これにより，前記携帯端末４に動的に端末ＩＤ（ＩＰアドレス等）が割り振られ，その端末ＩＤが前記携帯端末４に記憶される。以後，その端末ＩＤを通信用のアドレス情報（宛先情報）としてサーバＸと前記携帯端末４との間で，所定のプロトコル（例えば，ＴＣＰ／ＩＰプロトコル）に基づく通信が行われる。即ち，前記携帯端末４からサーバＸに対して送信される通信データには，送信元として前記端末ＩＤが設定され，サーバＸから前記携帯端末４に対して送信される通信データには，送信先（宛先）として前記端末ＩＤが設定される。これにより，前記携帯端末４は，通信データを受信した際に，送信先として設定された前記端末ＩＤが自装置に記憶した前記端末ＩＤと一致する場合にその通信データを取り込む。
【００１０】
サーバＸと前記携帯端末４との間の通信が確立すると，前記携帯端末４は，サーバＸに対し，コンテンツ配信の初期要求として第１要求を送信する（Ｓ３３）。この第１要求には，その携帯端末４が備える機能を識別する機能ＩＤが含められる。さらに，送信元の識別情報として前記端末ＩＤも含められる。
これに対し，サーバＸは，前記アクセスポイント２を介して前記第１要求を受信する（Ｓ２３，前記コンテンツ要求受信手段の処理の一例）。前記第１要求に含まれる前記機能ＩＤは，それを送信した前記携帯端末４が再生可能な（再生する）コンテンツの種類の特定に必要な情報（前記種類特定情報の一例）である。
図４は，サーバＸの記憶手段５に予め記憶される，前記機能ＩＤに関するマスターデータベース（以下，機能マスターＤＢという）のデータ構成の例を表す。
図４に示すように，サーバＸには，前記機能ＩＤ（ｄ１１）ごとに，前記携帯端末４が再生可能な１又は複数の要素コンテンツのデータ形式ｄ２（種類の一例）と，種類適合度ｄ１２とが関連付けられて記憶されている。図４の例では，前記種類適合度ｄ１２は，再生可能な場合を全て「５」としているが，処理速度や表示手段の解像度等の観点から推奨できる場合の前記種類適合度ｄ１２を「５」とし，一応再生可能であるが処理速度等の面で推奨できない場合に，その程度に応じて前記種類適合度ｄ１２を「４」以下に設定すること等も考えられる。このデータベースに登録されていないものは，前記種類適合度ｄ１２は「０」であると判断する。
【００１１】
さらに，サーバＸは，前記第１要求受信の際の通信実績に基づいて前記形態端末４との間の通信能力を評価する（Ｓ２４，前記通信能力評価手段の処理の一例）。この通信能力の評価では，評価指標として，前記第１要求のデータ量をその受信に要した時間で除算した単位時間当たりの受信データ量の平均値と標準偏差とを求める。
一方，前記携帯端末４は，前記第１要求の送信後，予め「好み情報」がユーザにより設定されている場合は，その「好み情報」をサーバＸに第２要求として送信する（Ｓ３４）。この「好み情報」としては，例えば，前記素材ＩＤ（ｄ１）や前記説明情報ｄ３若しくはその識別情報，或いは前記配信時間ｄ８の上限値等が指定される。「好み情報」が設定されていない場合は，Ｓ３４の処理はスキップする。
これに対し，サーバＸは，前記第２要求の受信があった場合には前記好み情報を取得する（Ｓ２５）。
【００１２】
次に，サーバＸは，前記第１要求及び第２要求（前記コンテンツ要求の一例，但し，前記第２要求は受信があった場合のみ）により取得した情報と，Ｓ２４での通信能力の評価結果とを，前記コンテンツ関連ＤＢ（図３）の前記関連情報ｄ１〜ｄ３，ｄ５〜ｄ８と対比することにより，前記携帯端末４に配信する要素コンテンツ（サブコンテンツ）を選択する（Ｓ２６）。
その際，前記メインコンテンツに関連する要素コンテンツについて，以下の３つの指標（種類適合度，通信適合度及び満足度）を求め，さらにその３つの指標を統合した総合指標を求め，該総合指標の大きさに基づいて前記携帯端末４に配信する要素コンテンツ（即ち，サブコンテンツ）を選択する（Ｄ２６）。
図６は，要素コンテンツについて求められた，前記種類適合度ｄ１２，前記通信適合度ｄ２１，前記満足度ｄ５及びそれらの総合指標ｄ３０の一例を表したものである。図６では，前記種類適合度ｄ１２が「０」であるものについての表記は省略している。
ここで，前記種類適合度は，前記携帯端末４が再生するコンテンツの種類に対する要素コンテンツの種類の適合度合いを表す指標である。具体的には，例えば，以下の手順で求める。
まず，前記機能マスターＤＢ（図４）を参照することにより，前記第１要求で指定された前記機能ＩＤｄ４に対応する前記データ形式ｄ２と前記種類適合度ｄ１２とを抽出する。さらに，その抽出した前記データ形式ｄ２を有する前記ファイルＩＤ（ｄ４）を，前記コンテンツ関連ＤＢ（図３）を参照することにより抽出する。
【００１３】
図５は，前記機能ＩＤ（ｄ１１）に対応する前記データ形式ｄ２を検索キーとして，前記コンテンツ関連ＤＢ（図３）から抽出した前記ファイルＩＤ（ｄ４）及びその関連情報（ｄ１，ｄ６）並びに前記種類適合度ｄ１２のリストの一例を表したものである。
図５の例は，前記第１要求で前記機能ＩＤ（ｄ１１）として「ＰＣＴｙｐｅ１」が指定されていた場合の例である。ここで，前記機能ＩＤ（ｄ１１）＝「ＰＣＴｙｐｅ１」に対応する前記データ形式ｄ２は，「ＭＰＥＧ１」，「ＭＰＥＧ４」及び「ＰＤＦ」であるため（図４参照），これらをデータ形式ｄ２とする要素コンテンツの前記ファイルＩＤ（ｄ４）（「Ｆ１」，「Ｆ２」，「Ｄ１」，「Ｄ２」：図３参照）が抽出されている。
これにより，前記第１要求を送信した前記携帯端末４が，再生機能可能なデータ形式（種類）の要素コンテンツが抽出される。
さらに，前記第２要求があった場合には，前記機能ＩＤ（ｄ１１）に基づいて抽出された要素コンテンツ（ファイルＩＤ（ｄ４））の中から，前記第２要求で指定された種類（例えば，前記素材ＩＤ（ｄ１）等）に適合（一致）するもののみがさらに抽出される。
このように抽出された要素コンテンツ（ファイルＩＤ（ｄ４）それぞれについて，前記機能マスターＤＢ（図４）に設定されていた前記種類適合度ｄ１２を抽出して設定する（求める）。
【００１４】
また，前記通信能力適合度ｄ２１は，Ｓ２４の通信能力評価（前記通信能力評価手段の処理の一例）の評価結果に対する要素コンテンツの配信に必要な通信能力（前記基準帯域ｄ６）の適合度合いを表す指標である。
具体的には，例えば，Ｓ２４の通信能力評価で求めた通信速度の平均値及び標準偏差を各々Ｕave及びσ，要素コンテンツに設定された前記基準帯域ｄ６（基準速度）をＵ0としたとき，前記通信能力適合度ｄ２１を，次の（１）式により求まるＶの値について，５段階にランク分けすること等が考えられる。
Ｖ＝（Ｕave−Ｕ0−σ）／σ    …（１）
図７は，サーバＸと前記携帯端末４との間の実績通信速度の分布と前記基準帯域ｄ６（基準速度）の値Ｕ0との関係の一例を模式的に表したものである。
図７は，前記通信能力適合度ｄ２１の値Ｖ＝０となるときの状態を表している。この場合（Ｖ＝０の場合），実績通信速度の分布が，例えばほぼ正規分布である場合には，約６８％の確率で，前記基準帯域ｄ６以上の速度での通信が行えることになり，Ｖの値が大きいほどより安定した通信が行えることを表す。図６に示す前記通信適合度ｄ２１は，このＶの値を５段階にランク分け（無次元化）した評価値の例を表すものである。もちろん，このような評価方法以外にも，例えば，単に平均実績速度と前記基準帯域ｄ２２との差や比により評価することや，（１）式におけるσを２σに置き換えること等，他の評価方法も考えられる。
【００１５】
また，前記満足度ｄ５は，前述したように（図３参照），要素コンテンツ各々について予め設定される質の高さに関する情報である。
さらに，サーバＸは，以上示した前記種類適合度ｄ１２，前記通信適合度ｄ２１及び前記満足度ｄ５の３つの指標を統合した総合指標ｄ３０を，例えば，それらの平均値や，加重平均値，最小値等の予め定められた統合化関数により求める。図６に示す例は，前記３つの指標の積を１／３乗した値を前記総合指標ｄ３０として求めた例である。
そして，サーバＸは，前記総合指標ｄ３０の最も大きいものに対応する要素コンテンツを，前記携帯端末４に配信するサブコンテンツとして選択する。
以上示したＳ２２〜Ｓ２６の処理は，Ｓ２１で新たに検出された全ての前記携帯端末４について行われる。
【００１６】
次に，サーバＸは，Ｓ２６で選択したサブコンテンツ（要素コンテンツ）を，各々対応する前記携帯端末４（即ち，前記第１要求（コンテンツ要求）の送信元）に対して，前記アクセスポイント２を介して配信する（Ｓ２７，前記コンテンツ配信手段の処理の一例）。このサブコンテンツの配信は，Ｓ１１（前記特定先コンテンツ出力手段の処理の一例）におけるメインコンテンツ（要素コンテンツ）の出力と同期して行う。例えば，メインコンテンツが動画コンテンツであり，サブコンテンツが音声コンテンツや字幕スーパーの文書コンテンツである場合，メインコンテンツの現在出力中の位置（先頭からの再生時間）に対応した位置の頭出しを行い，動画と音声或いは字幕スーパーが対応するように同期させて配信する。その際，各携帯端末４ごとに選択したサブコンテンツにその携帯端末４の前記端末ＩＤを付加することにより，サブコンテンツの配信先を指定する。
これに対し，前記携帯端末４は，サーバＸから配信されたサブコンテンツ（要素コンテンツ）を受信し（Ｓ３５），受信したサブコンテンツを順次再生する（Ｓ３６）。
これにより，前記携帯端末４のユーザは，前記特定再生装置１に出力されるメインコンテンツ（例えば，野球中継のコンテンツ）と併せて，自身の携帯端末４に適した，或いはユーザの好みに応じた関連するサブコンテンツ（音声コンテンツ等）を同時に視聴することができる。
【００１７】
そして，サーバＸは，メインコンテンツの出力の終了をチェック（Ｓ２８）しながら，これが終了するまで前述したＳ２１からＳ２７の処理を繰り返す。ここで，前記携帯端末４から新たに前記第１要求又は前記第２要求が受信されないときは，前記総合指標ｄ３０の評価及びサブコンテンツの選択処理（Ｓ２６）はスキップし，新たな前記第１要求又は第２要求が受信されたときのみ，その送信元である前記携帯端末４について，前記総合指標の再評価及びサブコンテンツの再選択（Ｓ２６）を行う。
そして，サーバＸは，メインコンテンツの出力が終了すると（Ｓ１２及びＳ２８のＹｅｓ側），当該コンテンツの配信処理を終了する。
一方，前記携帯端末４は，ユーザから，前記「好み情報」の設定変更を行う旨の入力がなされたか否かをチェックし（Ｓ３７），設定変更を行う旨の入力がなされた場合には，「好み情報」の入力処理（Ｓ３８）を実行した後，Ｓ３４へ移行して，新たな「好み情報」を送信するための前記第２要求の送信処理を実行する。これにより，サーバＸからは，新たな「好み情報」に対応したサブコンテンツが配信される。
そして，前記携帯端末４は，サブコンテンツの配信の終了をチェック（Ｓ３８）しながら，サブコンテンツの配信が終了するまで前述した要領でＳ３４〜Ｓ３８の処理を繰り返し，サブコンテンツの配信が終了した時点で，当該コンテンツの受信・再生処理を終了する。
以上示したように，サーバＸにより，関連する複数の要素コンテンツから，その種類，質，配信に必要な通信能力に基づいて，端末の能力や機能，ユーザ嗜好等の要求に応じた適切な要素コンテンツを選択して配信することができる。
ところで，以上示した実施の形態では，要素コンテンツの質を表す指標である満足度ｄ５と要素コンテンツの配信に必要な通信能力の指標となる基準帯域ｄ６とを各々個別に設定していたが，これらは高い相関があるので，いずれか一方の指標で両指標を代表させてもよい。
【産業上の利用可能性】
【００１８】
本発明は，コンテンツ配信装置等への利用が可能である。
【図面の簡単な説明】
【００１９】
【図１】本発明の実施の形態に係るコンテンツ配信装置の一例であるサーバＸを構成要素とするコンテンツ配信システムＺの概略構成図。
【図２】サーバＸによるコンテンツ配信処理及び携帯端末によるコンテンツ受信・再生処理の手順を表すフローチャート。
【図３】関連する要素コンテンツとその関連情報とが格納される要素コンテンツ関連データベースのデータ構成の例を表す図。
【図４】コンテンツの種類を特定するための機能ＩＤに関するマスターデータベースのデータ構成の例を表す図。
【図５】機能ＩＤに対応するデータ形式（種類）を検索キーとしてコンテンツ関連データベースから抽出したファイルＩＤ（要素コンテンツの識別情報）等のリストの一例を表す図。
【図６】要素コンテンツについて求められた種類適合度と通信適合度と満足度とそれらの総合指標の一例を表す図。
【図７】サーバＸと携帯端末との間の実績通信速度の分布と基準帯域（基準速度）との関係の一例を模式的に表した図。
【符号の説明】
【００２０】
１…特定再生装置（特定の出力先）
２…無線アクセスポイント
３…ＬＡＮ
４…携帯端末
５…コンテンツ等の記憶手段
Ｘ…サーバ（コンテンツ配信装置）
Ｚ…コンテンツ配信システム
Ｓ１１，Ｓ１２，，，…処理手順（ステップ）
【図１】
2006236002.tif 000003
【図２】
2006236002.tif 000004
【図３】
2006236002.tif 000005
【図４】
2006236002.tif 000006
【図５】
2006236002.tif 000007
【図６】
2006236002.tif 000008
【図７】
2006236002.tif 000009